(57)【要約】【課題】  防水パンの上に設置される洗濯機等への給排水配管の施工の容易化を低コストで実現する。【解決手段】  防水パン用アダプタ２と、排水トラップ３と、給水管継手４とを備えた防水パン用配管ユニットを提供する。アダプタは、アダプタ本体２ａと固定リング２ｂとよりなる。アダプタ本体は、外周面に雄ねじ２１１を有し防水パン１の底壁１１の排水孔１１１に下方から挿入される断面円形のベース部２１と、ベース部下端から突出し防水パンの底壁下面における排水孔の周縁部に当接するフランジ部２２とを備える。固定リングは、ベース部の雄ねじにねじ嵌められる雌ねじ２３を内周面に有する。アダプタ本体のベース部に、それぞれ上下に貫通した排水トラップ取付孔２１２および給水管継手取付孔２１３を形成する。【選択図】  図１
2009002064.tif 000002
【特許請求の範囲】
【請求項１】
外周面に雄ねじ（２１１）を有しかつ防水パン（１）の底壁（１１）にあけられた排水孔（１１１）に下方から挿入される断面円形のベース部（２１）およびベース部（２１）の下端から径方向外方に突出しかつ防水パン（１）の底壁（１１）下面における排水孔（１１１）の周縁部に当接するフランジ部（２２）を備えたアダプタ本体（２ａ）と、ベース部（２１）の雄ねじ（２１１）にねじ嵌められる雌ねじ（２３）を内周面に有する固定リング（２ｂ）とよりなり、アダプタ本体（２ａ）のベース部（２１）に、それぞれ上下に貫通した排水トラップ取付孔（２１２）および給水管継手取付孔（２１３）が形成されていることを特徴とする、防水パン用アダプタ。
【請求項２】
アダプタ本体（２ａ）のベース部（２１）は、その上面に、排水トラップ取付孔（２１２）が形成されている部分が給水管継手取付孔（２１３）が形成されている部分よりも低くなるような段差（２１４）を有していることを特徴とする、請求項１記載の防水パン用アダプタ。
【請求項３】
請求項１または２記載の防水パン用アダプタ（２）と、アダプタ（２）におけるアダプタ本体（２ａ）の排水トラップ取付孔（２１２）に挿入されて垂下状に固定される排水トラップ（３）と、アダプタ（２）におけるアダプタ本体（２ａ）の給水管継手取付孔（２１３）に挿入されて上下両側に突出するように固定される給水管継手（４）とを備えてなることを特徴とする、防水パン用配管ユニット。
【請求項４】
給水管継手（４）の上方突出部に止水栓（８）が設けられていることを特徴とする、請求項３記載の防水パン用配管ユニット。
【発明の詳細な説明】
【技術分野】
【０００１】
本発明は、洗濯機等を床面に設置する際に用いられる防水パンに関し、より詳細には、防水パンに洗濯機等への給排水配管を接続するためのアダプタに関する。また、本発明は、上記アダプタを含む防水パン用配管ユニットに関する。
【背景技術】
【０００２】
集合住宅等の床面に洗濯機を設置する場合、一般的に防水パンが用いられている。防水パンは、床面にあけられた排水配管用孔に対応する排水孔を底壁に有しており、この排水孔に排水トラップが挿入固定され、排水トラップの下端部または一側部に形成された排水管接続口に排水管が接続されるようになっている。
一方、給水管は、通常、洗濯機が設置される部屋の壁の裏側に配管されており、壁面にあけられた給水配管用孔を通じて給水管の先端部に給水栓が接続され、この給水栓からホース等を介して洗濯機への給水が行われるようになっている。
しかしながら、壁の裏側に給水管を配管するのは、施工に手間がかかる上、メンテナンスも容易でないという問題があった。
【０００３】
そこで、このような問題を解決する手段として、床面に排水配管用孔とは別に給水配管用孔があけられるとともに、給水配管用孔に対応する給水孔が防水パンの外枠または底壁に形成され、これらの孔を介して給水管の先端部が上方に取り出される、給排水配管構造が提案されている（例えば下記特許文献１参照）。
【０００４】
しかしながら、上述した給排水配管構造の場合、床面に排水配管用孔と給水配管用孔とを別々にあける必要があるため施工に手間がかかり、また、防水パンについても、一般的なものとは異なる特殊構造のものを用意する必要があるため、コスト高になるという問題があった。
【特許文献１】特開２００２−１２１７９５号公報
【発明の開示】
【０００５】
本発明の目的は、防水パンの上に設置される洗濯機等への給排水配管の施工の容易化を低コストで実現することにある。
【０００６】
本発明による防水パン用アダプタは、アダプタ本体と、固定リングとよりなる。アダプタ本体は、外周面に雄ねじを有しかつ防水パンの底壁にあけられた排水孔に下方から挿入される断面円形のベース部と、ベース部の下端から径方向外方に突出しかつ防水パンの底壁下面における排水孔の周縁部に当接するフランジ部とを備えている。固定リングは、ベース部の雄ねじにねじ嵌められる雌ねじを内周面に有している。アダプタ本体のベース部には、それぞれ上下に貫通した排水トラップ取付孔および給水管継手取付孔が形成されている。
【０００７】
本発明の防水パン用アダプタにあっては、上記の構成を有するアダプタ本体と固定リングとをねじ接合することによって、一般的な構造の防水パンにおける底壁の排水孔部分に、簡単に取り付けられる。そして、アダプタ本体のベース部には排水トラップ取付孔と給水管継手取付孔とが形成されており、これらの孔を利用して防水パンに排水トラップおよび給水管継手を取り付けることができるので、床面にあけられた排水配管用孔を給水配管用孔にも兼用して、洗濯機等への給排水配管を容易に施工することが可能となる。したがって、本発明の防水パン用アダプタによれば、洗濯機等への給排水配管の施工を床面にあけられた１つの配管用孔を共用して容易にかつ低コストで実施することができる。また、本発明のアダプタによれば、底壁に排水孔を有する従来の一般的構造の防水パンをそのまま利用して給排水配管を行うことができるので、更にコストが抑えられる。
【０００８】
本発明による防水パン用アダプタにおいて、アダプタ本体のベース部は、その上面に、排水トラップ取付孔が形成されている部分が給水管継手取付孔が形成されている部分よりも低くなるような段差を有しているのが好ましい。
【０００９】
アダプタ本体のベース部上面に上記のような段差があれば、万一、給水管継手の上端部とこれに接続される洗濯機用給水ホース等との間から水漏れが生じた場合でも、漏れた水を周囲に広げることなく排水トラップ内に速やかに流下させることができる。
【００１０】
次に、本発明による防水パン用配管ユニットは、前述した本発明による防水パン用アダプタと、アダプタにおけるアダプタ本体の排水トラップ接続孔に挿入されて垂下状に固定される排水トラップと、アダプタにおけるアダプタ本体の給水管継手取付孔に挿入されて上下両側に突出するように固定される給水管継手とを備えてなる。
【００１１】
本発明の防水パン用配管ユニットによれば、防水パンの上に設置される洗濯機等への給配水配管の施工を、床面にあけられた１つの配管用孔を共用して、容易にかつ低コストで行うことができる。また、本発明の配管ユニットによれば、底壁に排水孔を有する従来の一般的構造の防水パンをそのまま利用することができるので、更にコストを抑えることが可能である。
【００１２】
本発明による防水パン用配管ユニットにおいて、給水管継手の上方突出部に止水栓が設けられている場合がある。
【００１３】
上記のように給水管継手の上方突出部に止水栓を設けておけば、例えば、洗濯機等を長期間使用しない場合や洗濯機等のメンテナンスを行う場合に、給水を簡単に止めることができるので、使い勝手がよい。
【発明を実施するための最良の形態】
【００１４】
図１〜３は、本発明の実施形態を示したものである。なお、以下の説明において、「左右」とは図１の左右をいうものとする。
【００１５】
図１および図２に示すように、この実施形態は、一般的な構造を有する防水パンの上に設置される洗濯機への給排水配管に際して用いられる配管ユニットに関するものである。図示の防水パン用配管ユニットは、防水パン用アダプタ（２）と、排水トラップ（３）と、給水管継手（４）とを備えている。
【００１６】
防水パン（１）は、底壁（１１）と、底壁（１１）の周縁から立ち上がった外枠（１２）とを備えており、合成樹脂によって一体成形されている。
底壁（１１）には、床面（Ｆ）にあけられた排水配管用孔（Ｆ１）に対応する排水孔（１１１）が形成されている。排水孔（１１１）は、円形であって、底壁（１１）の右縁部寄りに設けられている。なお、排水孔（１１１）の位置は、図示のものに限らず、底壁（１１）の任意の位置に設定可能である。
また、底壁（１１）には、排水孔（１１１）の周縁部がその他の部分よりも低くなるように垂直な環状段差（１１２）が形成されている。なお、環状段差が底壁（１１）に設けられない場合もあり、その場合においても本発明を適用することは可能である。
底壁（１１）の４つのコーナー部には、底壁（１１）のその他の部分よりもやや上方に突出しかつ洗濯機の脚（図示略）が載せられる載置台部（１１３）が形成されている。
外枠（１２）は、底壁（１１）の周縁から垂直上方にのびる内壁部（１２１）と、内壁部（１２１）の上端から水平方向外方にのびる上壁部（１２２）と、上壁部（１２２）の先端から垂直下方にのびる外壁部（１２３）とを備えている。外壁部（１２３）の下端は底壁（１１９）よりもやや下方に位置しており、それによって、防水パン（１）を床面（Ｆ）に設置した際に底壁（１１）が床面（Ｆ）からやや上方に配されるようになっている。
【００１７】
防水パン用アダプタ（２）は、アダプタ本体（２ａ）と、固定リング（２ｂ）とよりなる。
アダプタ本体（２ａ）は、外周面に雄ねじ（２１１）を有しかつ防水パン（１）の底壁（１１）にあけられた排水孔（１１１）に下方から挿入される断面円形のベース部（２１）、および、ベース部（２１）の下端から径方向外方に突出しかつ防水パン（１）の底壁（１１）下面における排水孔（１１１）の周縁部に当接するフランジ部（２２）を備えている。
固定リング（２ｂ）は、ベース部（２１）の雄ねじ（２１１）にねじ嵌められる雌ねじ（２３）を内周面に有している。
そして、アダプタ本体（２ａ）のベース部（２１）に、それぞれ上下に貫通した排水トラップ取付孔（２１２）および給水管継手取付孔（２１３）が形成されている。
【００１８】
アダプタ本体（２ａ）は、例えば、ＡＢＳ樹脂等の合成樹脂によって一体成形されている。
排水トラップ取付孔（２１２）および給水管継手取付孔（２１３）は、アダプタ本体（２ａ）のベース部（２１）における左右方向にのびる一直径上に並んで配置されており、排水トラップ取付孔（２１２）の直径は、給水管継手取付孔（２１３）の直径よりもかなり大きいものとなされている。
ベース部（２１）の上面には、排水トラップ取付孔（２１２）が形成されている部分が給水管継手取付孔（２１３）が形成されている部分よりも低くなるような段差（２１４）が設けられている。この段差（２１４）は、排水トラップ取付孔（２１２）の周縁部を取り囲むように垂直環状に形成されている。段差（２１４）の上部には、雌ねじ（２１５）が形成されている。
アダプタ本体（２ａ）のフランジ部（２２）と、防水パン（１）の底壁（１１）における排水孔（１１１）の周縁部との間には、偏平環状のシール部材（５１）が介在されている。
アダプタ本体（２ａ）のベース部（２１）における排水トラップ取付孔（２１２）の周縁部には、断面Ｕ形の環状シール部材（５２）がはめ込まれている。
【００１９】
固定リング（２ｂ）は、例えば、ＡＢＳ樹脂等の合成樹脂によって形成されている。固定リング（２ｂ）の高さは、防水パン（１）の底壁（１１）の環状段差（１１２）の高さとほぼ等しくなされている。また、固定リング（２ｂ）の外径は、防水パン（１）の底壁（１１）上面における環状段差（１１２）よりも低位の部分、すなわち、排水孔（１１１）が形成されている部分の直径よりもやや小さいものとなされている。
【００２０】
排水トラップ（３）は、排水トラップ取付孔（２１２）に嵌め込まれる略筒状保持枠（３a）と、保持枠（３ａ）に垂下状に保持される略有底筒状トラップ本体（３ｂ）と、トラップ本体（３ｂ）を取り囲むように保持枠（３ａ）に垂下状に保持されかつ側方に突出した排水管接続口（３１）を有する略有底筒状ケーシング（３ｃ）とを備えている。
なお、図示の排水トラップ（３）は横引きタイプのものであるが、縦引きタイプの排水トラップについても本発明への適用は勿論可能である。
【００２１】
保持枠（３ａ）は、外周面に雄ねじ（３２１）を有する垂直筒部（３２）と、垂直筒部（３２）の上端から外方に突出しかつアダプタ本体（２ａ）のベース部（２１）上面における排水トラップ取付孔（２１２）の周縁部にシール部材（５２）を介して受けられる環状外方突出部（３３）とを備えている。
【００２２】
トラップ本体（３ｂ）は、その上端部に径方向外方に突出したフランジ部（３４）を有しており、保持枠（３ａ）の垂直筒部（３２）に上方から嵌め入れられて、フランジ部（３４）が保持枠（３ａ）の環状外方凸部（３３）に受けられることにより、保持枠（３ａ）に垂下状に保持されている。
トラップ本体（３ｂ）の内部には、Ｕ形の水封部（３０）を形成するための仕切壁（３５）が設けられている。
また、トラップ本体（３ｂ）の周壁の高さ中間部に、排水溢出口（３６）が形成されている。
【００２３】
ケーシング（３ｃ）における周壁の上端部には、保持枠（３ａ）の雄ねじ（３２１）にねじ合わせられる雌ねじ（３７）が形成されている。
また、ケーシング（３ｃ）は、その上端部に径方向外方に短く突出した環状外方凸部（３８）を有しており、この環状外方凸部（３８）が、シール部材（５２）を介して、アダプタ本体（２ａ）のベース部（２１）における排水トラップ取付孔（２１２）の周縁部に圧着されるようになっている。
排水管接続口（３１）には、排水管（Ｐ１）の一端部が嵌め込まれて接着固定されている。
【００２４】
トラップ本体（３ｂ）の上方には、環状シール部材（５３）を介して、円盤状の目皿（６）が配されている。目皿（６）は、アダプタ本体（２ａ）のベース部（２１）の雌ねじ（２１５）にねじ合わせられる雄ねじ（６１）を外周面に有している。目皿（６）の中心部には、下方に突出したボス部（６２）が設けられており、このボス部（６２）に、排水ホース接続用エルボ（７）の一端部が嵌め入れられる。
【００２５】
給水管継手（４）は、一端部が給水管（Ｐ２）の上端部に接続された第１管継手部材（４ａ）と、一端部が第１管継手部材（４ａ）の上端部に接続されかつ他端部がアダプタ本体（２ａ）の上方に突出するようにアダプタ本体（２ａ）のベース部（２１）の給水管継手取付孔（２１３）に挿通される第２管継手部材（４ｂ）と、一端部が第２管継手部材（４ｂ）の上端部に接続された略Ｌ形の第３継手部材（４ｃ）とで構成されている。
【００２６】
第１管継手部材（４ａ）は、給水管（Ｐ２）に挿入固定されかつ外周面に雄ねじ（４１１）を有するリング体（４１）と、リング体（４１）の雄ねじ（４１１）にねじ合わせられる雌ねじ（４２１）を下端部に有しかつ給水管（Ｐ１）の上端部にＯリング等の環状シール部材（５４）を介して嵌め被せられる筒状体（４２）とで構成されている。筒状体（４２）の外周面には、その高さの中間に、第２管継手部材（４ｂ）の下端面に当接する水平環状段差（４２２）が設けられている。そして、筒状体（４２）における段差（４２２）よりも上方の径小部（４２３）が、Ｏリング等の環状シール部材（５４）を介して、第２管継手部材（４ｂ）の下端部に嵌め入れられている。
【００２７】
第２管継手部材（４ｂ）の外周面には、その高さの中間に、アダプタ本体（２ａ）のベース部（２１）下面における給水管継手取付孔（２１３）の周縁部に環状シール部材（５５）を介して当接する水平環状段差（４３）が設けられている。そして、第２管継手部材（４ｂ）における段差（４３）よりも上方の径小部（４４）が、給水管継手取付孔（２１３）に、その一部が上方に突出するように挿通されている。第２管継手部材（４ｂ）の上端部には雄ねじ（４５）が設けられている。そして、この雄ねじ（４５）にナット（４６）をねじ嵌めて締め付けることにより、第２管継手部材（４ｂ）、ひいては同部材（４ｂ）を含む給水管継手（４）がアダプタ本体（２ａ）に固定されている。
【００２８】
第３管継手部材（４ｃ）の垂直部の外周面には、その高さの中間に、第２管継手部材（４ｂ）の上端に当接する水平環状段差（４７）が設けられている。そして、第３管継手部材（４ｃ）の垂直部における段差（４７）よりも下方の径小部（４８）が、Ｏリング等のシール部材（５４）を介して、第２管継手部材（４ｂ）の上端部に嵌め入れられている。
【００２９】
第３管継手部材（４ｃ）における垂直部と水平部との間の中間部には、止水栓（８）が設けられている。この実施形態では、止水栓（８）は、ハンドル（８１）の操作によってボール状の弁体（図示略）を回転させることにより流路の開閉を行うボール弁で構成されているが、それ以外の形式の弁で構成することも勿論可能である。
第３管継手部材（４ｃ）の水平部には雄ねじ（４９）が設けられており、この水平部が給水ホース接続口（４０）を構成する。
【００３０】
第１管継手部材（４ａ）と第２管継手部材（４ｂ）および第２管継手部材（４ｂ）と第３管継手部材（４ｃ）は、それぞれクリップ（Ｃ）によってワンタッチで着脱自在に接続されている。なお、管継手部材（４ａ）（４ｂ）（４ｃ）どうしの接続は、ねじ接合等のその他の接続手段を用いても勿論よい。
【００３１】
次に、上記の防止パン用配管ユニットを用いた洗濯機への給排水配管の施工手順の一例を説明する。
まず、床面（Ｆ）に排水配管用孔（兼給水配管用孔）（Ｆ１）をあけ、また、同孔（Ｆ１）に対応する排水孔（兼給水孔）（１１１）を底壁（１１）に有する防水パン（１）を用意する。なお、ここまでは従来の配管施工と同じである。
【００３２】
次いで、床下に配設した排水管（Ｐ１）の一端部を、排水トラップ（３）におけるケーシング（３ｃ）の排水管接続口（３１）に嵌め入れて接着固定する。また、同じく床下に配設した給水管（Ｐ２）の上端部に第１管継手部材（４ａ）を接続するとともに、第１管継手部材（４ａ）の上端部に第２管継手部材（４ｂ）を接続して、両管継手部材（４ａ）（４ｂ）をクリップ（Ｃ）によって接続する。
【００３３】
その後、アダプタ本体（２ａ）を、そのベース部（２１）下面における排水トラップ取付孔（２１２）の周縁部がケーシング（３ｃ）の環状外方凸部（３８）に当接するとともに、給水管継手取付孔（２１３）に第２管継手部材（４ｂ）の径小部（４４）が挿通されるように配置する。そして、ケーシング（３ｃ）の雌ねじ（３７）に保持枠（３ａ）の雄ねじ（３２１）をねじ込んで締め付けるとともに、第２管継手部材（４ｂ）の雄ねじ（４５）にナット（４６）をねじ嵌めて締め付けることにより、排水トラップ（３）および給水管継手（４）とアダプタ本体（２ａ）とを連結一体化する。
また、保持枠（３ａ）にトラップ本体（３ｂ）を上方から差し込んで垂下状に保持させ、さらに、アダプタ本体（２ａ）の雌ねじ（２１５）に目皿（６）をねじ込んで固定する。もっとも、上記工程は、これよりも後の工程で行うことも可能である。
【００３４】
次いで、防水パン（１）を、その排水孔（１１１）にアダプタ本体（２ａ）のベース部（２１）が嵌まるように床面（Ｆ）に設置し、ベース部（２１）の雄ねじ（２１１）に固定リング（２ｂ）をねじ嵌めて締め付ける。これによりアダプタ（２）と防水パン（１）とが連結一体化される。
【００３５】
そして、目皿（６）のボス部（６２）に排水ホース接続用エルボ（７）の一端部を差し込み、また、第２管継手部材（４ｂ）の上端部に第３継手部材（４ｃ）の径小部（４８）を差し込んで、両部材（４ｂ）（４ｃ）をクリップ（Ｃ）で接続する。
【００３６】
こうして、図１および図２に示すように防水パン（１）への給排水配管の接続が完了する。
その後、防水パン（１）の底壁（１１）上に洗濯機を設置し、洗濯機の排水ホース（図示略）の先端部をエルボ（７）に接続する。また、給水ホース（図示略）の基端部を第３管継手部材（４ｃ）の給水ホース接続口（４０）に接続する。給水ホースの中間部には、給水栓が設けられる。なお、給水栓は、防水パン（１）や壁面等に取り付けることも可能であるが、好適には、洗濯機に直接取り付けられる構造のものが採用される（例えば特開２００４−１８３２５９号公報参照）。
【００３７】
以上の通り、本実施形態の防水パン用配管ユニットによれば、洗濯機への給排水配管の施工を、床面（Ｆ）にあけられた１つの配管用孔（Ｆ１）を共用して、きわめて容易にかつ低コストで行うことが可能であり、また、従来行われていた壁の裏側への給水配管の施工によるメンテナンス性の問題ならびに見栄えや有効スペース減少の問題も一気に解決することができる。また、本実施形態の配管ユニットによれば、底壁（１１）に排水孔（１１１）を有する従来の一般的な構造の防水パン（１）をそのまま利用することができるので、特にコスト面で有利である。
【図面の簡単な説明】
【００３８】
【図１】本発明の実施形態に係る防水パン用配管ユニットの垂直断面図である。
【図２】図１の防水パン用配管ユニットの斜視断面図である。
【図３】図１の防水パン用配管ユニットの分解斜視図である。
【符号の説明】
【００３９】
（１）：防水パン
（１１）：底壁
（１１１）：排水孔
（２）：防水パン用アダプタ
（２ａ）：アダプタ本体
（２ｂ）：固定リング
（２１）：ベース部
（２１１）：雄ねじ
（２１２）：排水トラップ取付孔
（２１３）：給水管継手取付孔
（２１４）：段差
（２２）：フランジ部
（２３）：雌ねじ
（３）：排水トラップ
（４）：給水管継手
（８）：止水栓
【図１】
2009002064.tif 000003
【図２】
2009002064.tif 000004
【図３】
2009002064.tif 000005